(57)【要約】  光ピックアップを備えた記録及び／または再生装置として使われるハイブリッドディスクである。該ハイブリッドディスクは、第１規格ビームによってデータを記録／判読する第１規格を有する第１記録層と、第２規格ビームによってデータを記録／判読する第２規格を有する第２記録層とを備える。第１記録層の透過率及び第２記録層の反射率は、光ピックアップに照射される第１及び第２規格ビームの相対的な強度を制御するように相互関連する。
2008535136.tif 000002
【特許請求の範囲】
【請求項１】
異なる規格による複数の記録層を備えるハイブリッドディスクにおいて、
第１規格ビームを利用して記録及び／または判読される第１記録層と、
前記第１規格ビームと異なる波長を有する第２規格ビームを利用して記録及び／または判読される第２記録層と、を備え、
第１規格ビームに対する第２記録層の反射率は、第１規格ビームに対する第１記録層の反射率より低いことを特徴とするハイブリッドディスク。
【請求項２】
前記第１規格ビームに対する第２記録層の反射率は、第１規格ビームに対する第１記録層の反射率の１／７〜１／１０以下であることを特徴とする請求項１に記載のハイブリッドディスク。
【請求項３】
前記第１記録層は、少なくとも１層の金属層を備え、前記第２記録層は、少なくとも２層の金属層と前記２層の金属層の間に備えられた少なくとも１層の誘電体層とを備えることを特徴とする請求項１に記載のハイブリッドディスク。
【請求項４】
前記第１記録層は、１層のＮｉ金属層を備え、前記第２記録層は、２層のＡｌ金属層と１層のＺｎＳ−ＳｉＯ２誘電体層とを備えることを特徴とする請求項３に記載のハイブリッドディスク。
【請求項５】
前記第１記録層のＮｉ金属層の厚さは、約３５ｎｍであることを特徴とする請求項４に記載のハイブリッドディスク。
【請求項６】
前記Ａｌ金属層の厚さは、約１０ｎｍであることを特徴とする請求項４に記載のハイブリッドディスク。
【請求項７】
前記ＺｎＳ−ＳｉＯ２誘電体層の厚さは、約２５ｎｍ以下であることを特徴とする請求項４に記載のハイブリッドディスク。
【請求項８】
前記第１記録層は、少なくとも２層の金属層と前記２層の金属層の間に備えられた少なくとも１層の誘電体層とを備え、前記第２記録層は、少なくとも１層の金属層を備えることを特徴とする請求項１に記載のハイブリッドディスク。
【請求項９】
前記第１記録層は、２層のＡｌ金属層と前記２層のＡｌ金属層の間に備えられたＺｎＳ−ＳｉＯ２誘電体層とを備え、前記第２記録層は、１層のＡｌ金属層を備えることを特徴とする請求項８に記載のハイブリッドディスク。
【請求項１０】
前記第１記録層のＡｌ金属層の厚さは、約１０ｎｍであることを特徴とする請求項９に記載のハイブリッドディスク。
【請求項１１】
前記第１記録層のＺｎＳ−ＳｉＯ２誘電体層の厚さは、約３８ｎｍであることを特徴とする請求項９に記載のハイブリッドディスク。
【請求項１２】
前記第２記録層のＡｌ金属層の厚さは、約１２ｎｍ以上であることを特徴とする請求項９に記載のハイブリッドディスク。
【請求項１３】
前記第１規格は、ＤＶＤであり、前記第２規格は、ＨＤ−ＤＶＤ方式であることを特徴とする請求項１に記載のハイブリッドディスク。
【請求項１４】
異なる規格による複数の記録層を備えるハイブリッドディスクの記録及び／または判読装置において、
前記ディスクを構成する第１記録層に／から第１規格ビームを利用してデータを記録／判読し、前記ディスクを構成する第２記録層に／から第２規格ビームを利用してデータを記録／判読する記録／判読部と、
前記第１規格ビームを利用して第１記録層に／からデータを記録／判読するとき、前記第１規格ビームに対する第２記録層の反射率を考慮して、前記第２記録層から前記記録／判読部によって受信された前記第１規格ビームの量が所定レベル以下となるように制御する制御部と、を備えることを特徴とする記録及び／または判読装置。
【請求項１５】
前記第１記録層は、少なくとも１層の金属層を備え、前記第２記録層は、少なくとも２層の金属層と少なくとも１層の誘電体層とを備えることを特徴とする請求項１４に記載の記録及び／または判読装置。
【請求項１６】
前記第１記録層は、少なくとも２層の金属層と少なくとも１層の誘電体層とを備え、前記第２記録層は、少なくとも１層の金属層を備えることを特徴とする請求項１４に記載の記録及び／または判読装置。
【請求項１７】
異なる規格による複数の記録層を備えるハイブリッドディスクの記録及び／または判読方法において、
前記ディスクを構成する第１記録層に／から第１規格ビームを利用してデータを記録／判読するステップと、
前記ディスクを構成する第２記録層に／から前記第１規格ビームと異なる波長の第２規格ビームを利用してデータを記録／判読するステップと、
第１記録層に／から第１規格ビームを利用してデータを記録／判読するとき、前記第１規格ビームに対する前記第２記録層の反射率を考慮して前記第１規格ビームを制御し、前記第２記録層で反射された前記第１規格ビームの量を所定大きさ以下にするステップと、を含むことを特徴とする記録及び／または判読方法。
【請求項１８】
前記第１記録層は、少なくとも１層の金属層を備え、前記第２記録層は、少なくとも２層の金属層と１層の誘電体層とを備えることを特徴とする請求項１７に記載の記録及び／または判読方法。
【請求項１９】
前記第１記録層は、少なくとも２層の金属層と１層の誘電体層とを備え、前記第２記録層は、少なくとも１層の金属層を備えることを特徴とする請求項１７に記載の記録及び／または判読方法。
【請求項２０】
光ピックアップを備えた記録及び／または再生装置に使われるハイブリッドディスクにおいて、前記ハイブリッドディスクは、
第１規格ビームによってデータを記録／判読する第１規格を有する第１記録層と、
第２規格ビームによってデータを記録／判読する第２規格を有する第２記録層と、を備え、
前記第１記録層の透過率及び第２記録層の反射率は、光ピックアップに照射される第１及び第２規格ビームの相対的な強度を制御するように相互関連していることを特徴とするハイブリッドディスク。
【請求項２１】
前記第１記録層は、少なくとも一層の金属層を備え、
前記第２記録層は、少なくとも２層の金属層と少なくとも一層の誘電体層とを備え、
第２規格ビームに対する第１記録層の透過率は、Ｔ１２、第２規格ビームに対する第２記録層の反射率をＲ２２とするとき、前記第１記録層の透過率及び前記第２記録層の反射率は、次の数式：（Ｔ１２）２×Ｒ２２＞０.１８によって相互関連されていることを特徴とする請求項２０に記載のハイブリッドディスク装置。
【請求項２２】
第１規格ビームに対する第１記録層の透過率は、Ｔ１１、第１規格ビームに対する第２記録層の反射率をＲ２１とするとき、前記第１記録層の透過率及び前記第２記録層の反射率は、次の数式：（Ｔ１１）２×Ｒ２１＜０.０５によって相互関連していることを特徴とする請求項２１に記載のハイブリッドディスク装置。
【請求項２３】
Ｔ１１は、約０.８、Ｔ２１は、約０.５、Ｒ２２は、約０.７２以上であり、Ｒ２１は、０と１との間の値を有することを特徴とする請求項２２に記載のハイブリッドディスク装置。
【請求項２４】
前記第１記録層は、少なくとも２層の金属層と少なくとも１層の誘電体層とを備え、
前記第２記録層は、少なくとも１層の金属層を備え、
前記第２規格ビームに対する第１記録層の透過率は、Ｔ１２、第２規格ビームに対する第２記録層の反射率をＲ２２とするとき、前記第１記録層の透過率及び前記第２記録層の反射率は、次の数式：（Ｔ１２）２×Ｒ２２＞０.１８によって相互関連されていることを特徴とする請求項２０に記載のハイブリッドディスク装置。
【請求項２５】
第１規格ビームに対する第１記録層の透過率は、Ｔ１１、第１規格ビームに対する第２記録層の反射率をＲ２１とするとき、前記第１記録層の透過率及び前記第２記録層の反射率は、次の数式：（Ｔ１１）２×Ｒ２１＜０.０５によって相互関連されていることを特徴とする請求項２４に記載のハイブリッドディスク装置。
【請求項２６】
Ｔ１１は、約０.１２、Ｔ２１は、約０.５、Ｒ２１とＲ２２とは、それぞれ約０.７２より大きい値を有することを特徴とする請求項２５に記載のハイブリッドディスク装置。
【発明の詳細な説明】
【技術分野】
【０００１】
本発明は、光ディスクに係り、具体的には、異なる規格を有する第１記録層と第２記録層とを備えるハイブリッドディスクに関する。
【背景技術】
【０００２】
光ディスクには、ＣＤ（コンパクトディスク）、ＤＶＤ（デジタルバーサタイルディスク）、ＨＤ−ＤＶＤ（ハイデンシティ−ＤＶＤ）及びＢＤ（ブルー−レイディスク）など多様なフォーマットが存在する。一般的に、前記多様なフォーマットのうちで一つを採択して光ディスクを製作する。
【０００３】
最近には、異なる波長を有するビームによって記録及び／または判読される、異なる規格の記録層を一枚の光ディスクに内蔵させるハイブリッド方式の光ディスクが提案されている。例えば、ＣＤ方式による記録層とＤＶＤ方式による記録層、またはＤＶＤ方式による記録層とＢＤ方式による記録層、またはＣＤ方式による記録層とＢＤ方式による記録層を一枚の光ディスクに含める。
【０００４】
前記ハイブリッドディスクは、異なる方式による記録層を共に含めるため、すでにある再生装置と新たな再生装置とを利用して、前記光ディスクの再生を可能にする。例えば、ＣＤ方式による記録層とＤＶＤ方式による記録層とを一枚の光ディスクに含めれば、ＣＤプレイヤを所有したユーザとＤＶＤプレイヤを所有したユーザとが何れも前記ハイブリッドディスクを利用しうる。
【０００５】
前記のようなハイブリッドディスクにおいて、各記録層に適した波長のビームを照射して検出されるフォーカスエラー信号（フォーカスエラーシグナル：ＦＥＳ）とＲＦ（無線周波数）信号との大きさを通じてフォーカスサーボ制御を行う。
【０００６】
ところが、前記のようなハイブリッドディスクに所定波長のビームを入射してフォーカスサーボ制御を開始するとき、他の記録層で所定大きさ以上のビームが反射されてフォーカスクロストークが発生する。すなわち、Ｓ字カーブには、ある一記録層で反射された信号成分以外に、他の記録層で反射された所定大きさ以上のビームが検出されてフォーカスサーボ制御を妨害する。例えば、ＤＶＤ方式の第１記録層とＨＤ−ＤＶＤ方式の第２記録層とを備えたハイブリッドディスクで、前記第１記録層から判読するために約６５０ｎｍ波長のビームを照射してフォーカスサーボ制御を行うとき、第１記録層を透過したビームの一部が第２記録層で所定大きさ以上が反射されて検出される場合、光ピックアップ装置は、前記ハイブリッドディスクをデュアルレイヤＤＶＤディスクと判断して誤動作を起こしうる。
【０００７】
したがって、異なる規格の記録層を備えるハイブリッドディスクで、ある一記録層を判読する場合、他の記録層で反射されるビームを所定大きさ以下となるように適切に反射率及び透過率を設定する必要がある。
【発明の開示】
【発明が解決しようとする課題】
【０００８】
本発明は、前記問題点を解決するために案出されたものであって、異なる規格の記録及び／または判読装置で互換可能なハイブリッドディスクを提供することを目的とする。
【０００９】
また、本発明は、前記ハイブリッドディスクに／から所定のデータを記録／判読する記録及び／または判読装置及び記録及び／または判読方法を提供することを目的とする。
【課題を解決するための手段】
【００１０】
前記課題を解決するために、本発明の異なる規格による複数の記録層を備えるハイブリッドディスクは、第１規格ビームを利用して記録及び／または判読される第１記録層と、前記第１規格ビームと異なる波長を有する第２規格ビームを利用して記録及び／または判読される第２記録層と、を備え、第２記録層で反射される第１規格ビームの反射率及び／または第１記録層で反射される第２規格ビームが所定大きさ以下となることを特徴とする。
【００１１】
前記第２記録層で反射される第１規格ビームの反射率は、第１記録層で反射される第１規格ビームの反射率の１／７〜１／１０以下であることが望ましい。
【００１２】
前記第１記録層は、少なくとも１層の金属層を備え、前記第２記録層は、少なくとも２層の金属層と前記２層の金属層の間に備えられた少なくとも１層の誘電体層とを備えることが望ましい。この場合、前記第１記録層は、１層のＮｉ金属層を備え、前記第２記録層は、２層のＡｌ金属層と１層のＺｎＳ−ＳｉＯ２誘電体層とを備えるようにする。また、前記第１記録層のＮｉ金属層の厚さは、３５ｎｍ、前記Ａｌ金属層の厚さは、１０ｎｍ、前記ＺｎＳ−ＳｉＯ２誘電体層の厚さは、２５ｎｍ以下であることが望ましい。
【００１３】
他の側面で、前記第１記録層は、少なくとも２層の金属層と前記２層の金属層の間に備えられた少なくとも１層の誘電体層とを備え、前記第２記録層は、少なくとも１層の金属層を備えることが望ましい。この場合、前記第１記録層は、２層のＡｌ金属層と前記２層のＡｌ金属層の間に備えられたＺｎＳ−ＳｉＯ２誘電体層とを備え、前記第２記録層は、１層のＡｌ金属層を備えるようにする。また、前記第１記録層のＡｌ金属層の厚さは、それぞれ１０ｎｍ、前記第１記録層のＺｎＳ−ＳｉＯ２誘電体層の厚さは、３８ｎｍ、前記第２記録層のＡｌ金属層の厚さは、１２ｎｍ以上の厚さを有することが望ましい。
【００１４】
前記第１規格は、ＤＶＤであり、前記第２規格は、ＨＤ−ＤＶＤ方式であることが望ましい。
【００１５】
また、本発明による異なる規格による複数の記録層を備えるハイブリッドディスクの記録及び／または判読装置は、前記ディスクを構成する第１記録層に／から第１規格ビームを利用してデータを記録／判読し、前記ディスクを構成する第２記録層に第２規格ビームを利用してデータを記録／判読し、第１記録層に第１規格ビームを利用してデータを記録／判読する時に、第２記録層で反射される第１規格ビーム反射率が所定大きさ以下となる記録／判読部と、前記ディスクに／からデータを記録／判読するように前記記録／判読部を制御する制御部と、を備えることを特徴とする。
【００１６】
また、本発明による異なる規格による複数の記録層を備えるハイブリッドディスクの記録及び／または判読方法は、前記ディスクを構成する第１記録層に／から第１規格ビームを利用してデータを記録／判読するステップと、前記ディスクを構成する第２記録層に前記第１規格ビームと異なる波長の第２規格ビームを利用して、データを記録／判読するステップと、を含み、第１記録層に／から第１規格ビームを利用してデータを記録／判読する時に第２記録層で反射される第１規格ビームの反射率が所定大きさ以下となることを特徴とする。
【発明の効果】
【００１７】
本発明によれば、異なる波長のビームを利用する複数規格の記録層を備えるハイブリッドディスクで、各記録層間のクロストークによるフォーカスエラー信号の劣化を防止して安定したフォーカスサーボ制御を行える。
【００１８】
また、本発明によれば、ＣＤ、ＤＶＤ、ＨＤ−ＤＶＤ及びＢＤ規格などの多様な記録及び／または判読方式による記録層を一枚のディスクに含めることにより、ユーザの選好によって動画や音楽をそれぞれ別途規格のシステムまたは全ての規格を支援するシステムで記録／判読しうる。
【発明を実施するための最良の形態】
【００１９】
以下、添付された図面を参照して本発明について詳細に説明する。
【００２０】
本発明によるハイブリッドディスクは、異なる規格によって所定のデータが記録及び／または判読される２層の記録層を備えることを特徴とする。
【００２１】
本発明を説明するに当たって、前記２層の記録層のうち一層は、第１記録層Ｌ０、他の記録層は、第２記録層Ｌ１とする。第１記録層Ｌ０は、第２記録層Ｌ１より光ピックアップに近い側にあり、前記記録層の記録及び／または判読に適した所定波長のビームをそれぞれ第１規格ビーム、第２規格ビームと定義する。
【００２２】
また、本発明において使われる光学定数は、次の表１の通りである。
【００２３】
【表１】
2008535136.tif 000003
異なる波長を有するビームを利用するハイブリッドディスクにおいて、クロストークによるフォーカスサーボ制御の誤りを防止するためには、第１規格ビームを照射する場合、第１記録層を透過して第２記録層で反射される第１規格ビームの比率を所定大きさ以下に低めねばならない。したがって、本発明では、シミュレーション結果に基づいて、第１規格ビームに対する第２記録層の反射率を第１記録層の約１／７〜１／１０以下にし、第２規格ビームに対しては、十分な大きさの信号が検出されるように、前記第２規格ビームに対する第２記録層の反射率は、１０％以上にするハイブリッドディスク構造を提案する。以下、本発明の実施形態をＨＤ−ＤＶＤ及びブルーレイディスクに関連した波長を中心に説明するが、本発明は、異なる波長の組合わせを使用するハイブリッドディスクに適用されるのである。
【００２４】
図１は、本発明の一実施形態によるハイブリッドディスクの構造を示す図である。図１を参照するに、本発明の一実施形態によるハイブリッドディスク１００は、第１基板１０１、第１金属層１０３、間隔層１０５、第２金属層１０７、誘電体層１０９、第３金属層１１１及び第２基板１１３を備える。
【００２５】
図示したように、ハイブリッドディスク１００に記録及び／または判読を行うために、対物レンズＯＬを通じてフォーカシングされて入射される所定波長のビームは、第１基板１０１を通じて入射される。
【００２６】
第１基板１０１、間隔層１０５及び第２基板１１３は、ポリカーボネート、ポリメチルメタクリレート（ＰＭＭＡ）、非晶質ポリオレフィン（ＡＰＯ）及びガラス材質のうち選択されたいずれか一つの材質で形成される。
【００２７】
第１、２及び３金属層１０３，１０７及び１１１は、Ｎｉ、Ａｌ、Ａｕ、Ａｇ、Ｃｕ及び合金などの材質で形成され、所定のデータがピット形態で記録される。
【００２８】
誘電体層１０９は、酸化ケイ素（ＳｉＯｘ）、酸化マグネシウム（ＭｇＯｘ）、酸化アルミニウム（ＡｌＯｘ）、酸化チタン（ＴｉＯｘ）、酸化バナジウム（ＶＯｘ）、酸化クロム（ＣｒＯｘ）、酸化ニッケル（ＮｉＯｘ）、酸化ジルコニウム（ＺｒＯｘ）、酸化ゲルマニウム（ＧｅＯｘ）、酸化亜鉛（ＺｎＯｘ）、窒化ケイ素（ＳｉＮｘ）、窒化アルミニウム（ＡｌＮｘ）、窒化チタン（ＴｉＮｘ）、窒化ジルコニウム（ＺｒＮｘ）、窒化ゲルマニウム（ＧｅＮｘ）、炭化ケイ素（ＳｉＣ）、硫化亜鉛（ＺｎＳ）、硫化亜鉛−二酸化硅素化合物（ＺｎＳ−ＳｉＯ２）、フッ化マグネシウム（ＭｇＦ２）のうち選択された少なくともいずれか一つの材質で構成される。ここで、ｘは、所定の整数を表す。
【００２９】
第１金属層１０３は、多様な方式のディスク規格のうち、選択された第１規格によって記録及び／または判読が行われる第１記録層Ｌ０に該当し、第２金属層１０７、誘電体層１０９及び第３金属層１１１は、前記第１規格とは異なる第２規格によって記録及び／または判読が行われる第２記録層Ｌ１に該当する。例えば、ＣＤ、ＤＶＤ、ＨＤ−ＤＶＤ、ＢＤなどの多様な規格のうちで適切な規格を前記第１記録層Ｌ０と第２記録層Ｌ１との記録及び／または判読方式として選択する。
【００３０】
望ましくは、第１記録層Ｌ０の記録及び／または判読時に利用される第１規格ビーム波長が、第２記録層Ｌ１の記録及び／または判読時に利用される第２規格ビーム波長に比べて、さらに長くなるように規格を選択する。例えば、前記第１規格は、６５０ｎｍ波長のビームを利用するＤＶＤ規格を、前記第２規格は、４１３ｎｍ波長のビームを利用するＨＤ−ＤＶＤ規格を選択する。
【００３１】
前記のような構成を有するハイブリッドディスクは、第１記録層Ｌ０の記録及び／または判読のための第１規格ビームの照射時に、第２記録層Ｌ０で反射される第１規格ビームの反射率を所定大きさ以下に制限することにより、反射されたビームによるフォーカスクロストークの発生を防止する。
【００３２】
特に、本発明の一実施形態によるハイブリッドディスクは、第２記録層Ｌ１を２層の金属層１０７，１１１と１層の誘電体層１０９とを使用して、異なる波長の第１規格ビーム及び第２規格ビームに対する各記録層の反射率及び透過率を調節することにより、選択的な波長特性を有しうる。
【００３３】
従来の多層判読専用媒体または記録媒体において、複数の記録層の判読時に単一波長のビームを利用するので、各記録／判読層の厚さのみを適切に選択して各記録層の透過率及び反射率を選択することが可能であった。
【００３４】
しかし、本発明によって、図１に示されたハイブリッドディスクのように、異なる規格による２層の記録層Ｌ０，Ｌ１を有する場合、異なる波長の２層のビームを使用して記録及び／または判読を行うため、単に第１記録層Ｌ０と第２記録層Ｌ１との厚さのみを調節しては、各記録層で要求される透過率と反射率とを調整し難い。
【００３５】
したがって、本発明による図１に示されたハイブリッドディスクは、少なくとも２層の金属層１０７，１１１と少なくとも１層の誘電体層１０９とを使用して記録層を構成することにより、前記第１記録層ＬＯの記録及び／または判読のための第１規格ビームの入射時に、前記第２記録層Ｌ１で反射されるビームが所定大きさ以下となるように、各記録層の反射率及び透過率を設定しうる。
【００３６】
図２は、本発明の一実施形態によるハイブリッドディスクで、第１金属層１０３の厚さ変化によって、前記第１記録層Ｌ０における第１規格ビームの反射率及び透過率、第２規格ビームの透過率を示すグラフである。ここで、前記第１記録層Ｌ０の規格としてＤＶＤ、第２記録層Ｌ１の規格としてＨＤ−ＤＶＤを選択し、前記第１記録層Ｌ０は、Ｎｉが利用された。また、前記第１規格ビームの波長は、６５０ｎｍであり、第２規格ビームの波長は、４１３ｎｍである。
【００３７】
図２を参照するに、第１記録層Ｌ０の厚さが増大するにつれて、前記第１規格ビームに対する反射率は、次第に増加する一方、第１、２規格ビームの透過率は、次第に低下する。例えば、前記第１記録層Ｌ０の厚さが３５ｎｍである場合、第１規格ビーム６５０ｎｍに対する第１記録層Ｌ０の反射率は、５０％、透過率は、８％であり、第２規格ビーム（４１３ｎｍ）に対する第１記録層Ｌ０の透過率は、５０％である。
【００３８】
図３は、本発明の一実施形態によるハイブリッドディスクで、誘電体層１０９の厚さ変化によって、前記第２記録層Ｌ１で第１及び２規格ビームの反射率を示すグラフである。ここで、前記第２記録層Ｌ１を構成する第２金属層１０７及び第３金属層１１１は、１０ｎｍ厚さのＡｌを利用し、前記誘電体層１０９は、硫化亜鉛−二酸化硅素化合物（ＺｎＳ−ＳｉＯ２）を利用した。また、前記図２の場合と同様に、第１規格ビームは、６５０ｎｍ波長の赤色ビームを、第２規格ビームは、４１３ｎｍ波長の青色ビームを利用した。
【００３９】
図３を参照するに、誘電体層１０９の厚さが増大するにつれて、前記第１規格ビーム及び第２規格ビームの反射率が低下することが確認できる。
【００４０】
前記第２記録層Ｌ１の記録及び／または判読のためには、ハイブリッドディスクに入射される第２規格ビームの少なくとも１８％以上が前記第２記録層Ｌ１で反射されねばならない。前記第１記録層Ｌ０を構成するＮｉを３５ｎｍの厚さに形成した場合、前述したように、約５０％の第２規格ビームが前記第１記録層Ｌ０を通過して前記第２記録層Ｌ１に達する。
【００４１】
前記第１記録層Ｌ０を通過して前記第２記録層Ｌ１で反射されて光ピックアップ装置で検出される第２規格ビームの比率は、（Ｔ１２）２×Ｒ２２×１００である（ここで、Ｔ１２は、第１記録層Ｌ０の第２規格ビームに対する透過率を表し、Ｒ２２は、第２記録層の第２規格ビームに対する反射率を表す）。したがって、ハイブリッドディスクの第２記録層Ｌ１の第２規格ビームに対する透過率Ｔ１２を０.５とすれば、ハイブリッドディスクの第２記録層Ｌ１で反射されて光ピックアップで検出される第２規格ビームの比率は、０.５２×Ｒ２２×１００であり、この比率は、少なくとも１８％以上とならねばならない。すなわち、０.５２×Ｒ２２＞０.１８を満足せねばならない。前記条件をＲ２２に対して整理すれば、Ｒ２２＞０.７２とならねばならない。言い換えれば、第２規格ビームによって前記第２記録層Ｌ１の正常的な記録及び／または判読を行うためには、前記第２記録層Ｌ１の第２規格ビームに対する反射率は、少なくとも０.７２以上とならねばならない。
【００４２】
一方、フォーカスクロストークを防止するためには、前記第１記録層Ｌ０を通過して前記第２記録層Ｌ１で反射される第１規格ビームが所定大きさ以下に検出されるようにせねばならない。第２記録層Ｌ１で反射されて検出される第１規格ビームの比率は、（Ｔ１１）２×Ｒ２１×１００である（ここで、Ｔ１１は、第１記録層Ｌ０の第１規格ビームに対する透過率、Ｒ２１は、第２記録層Ｌ１の第１規格ビームに対する反射率である）。したがって、第１記録層Ｌ０を通過した第１規格ビームの比率を８％とすれば（Ｔ１１＝０.０８）、第２記録層Ｌ１で反射されて光ピックアップで検出される第１規格ビームの比率は、０.０８２×Ｒ２１である。第２記録層Ｌ１で反射される第１規格ビームの比率を５％以下に設定する場合、すなわち、０.０８２×Ｒ２１＜０.０５の条件を満足せねばならない場合、Ｒ２１が０〜１のうちいかなる値を有しても、前記条件を満足する。図３に示したように、誘電体層１０９の厚さを約２５ｎｍ以下に形成する場合には、第１及び第２規格ビームに対する反射率が０.７２以上となる。
【００４３】
図４は、本発明の他の実施形態によるハイブリッドディスクの構造を示す図である。図４を参照するに、本発明の他の実施形態によるハイブリッドディスク２００は、前述した図１のハイブリッドディスク１００と類似した物質で構成される。図４に示した実施形態で、誘電体層２０５及び間隔層２０９は、図１に示した間隔層１０５及び誘電体層２０９とそれぞれ同じ位置に存在する。したがって、図４に示された第１記録層Ｌ０は、第１及び第２金属層２０３，２０７と誘電体層２０５とを備え、第２記録層Ｌ１は、第３金属層２１１を備える。図４に示した実施形態で、第１及び第２記録層Ｌ０，Ｌ１は、間隔層２０９によって分離される。第１基板２０１は、第１金属層２０３に隣接して位置し、第２基板２１３は、第３金属層２１１に隣接して位置する。ハイブリッドディスク２００の第１基板２０１、第１金属層２０３、誘電体層２０５、第２金属層２０７、間隔層２０９、第３金属層２１１及び第２基板２１３は、それぞれハイブリッドディスク１００の第１基板１０１、第１金属層１０３、誘電体層１０９、第２金属層１０７、間隔層１０５、第３金属層１１１及び第２基板１１３と同じ物質で構成される。
【００４４】
図５は、本発明の他の実施形態によるハイブリッドディスクで、誘電体層２０５の厚さ変化によって、前記第１記録層Ｌ０における第１規格ビームの反射率及び透過率、第２規格ビームの透過率を示すグラフである。前述したように、前記第１記録層Ｌ０の規格としてＤＶＤ、第２記録層Ｌ１の規格としてＨＤ−ＤＶＤを選択し、第１金属層２０３及び第２金属層２０７としてＡｌが利用された。また、前記第１規格ビームの波長は、６５０ｎｍであり、第２規格ビームの波長は、４１３ｎｍである。
【００４５】
図５を参照するに、誘電体層２０５の厚さが増大するにつれて、前記第１規格ビームに対する第１記録層Ｌ０の反射率は、次第に低下し、第２規格ビームに対する第１記録層Ｌ０の透過率は、次第に上昇する。第１規格ビームに対する第１記録層Ｌ０の透過率は、誘電体層２０５の厚さが約３０ｎｍであるまで次第に低下し、誘電体層２０５の厚さが約３０ｎｍより大きくなる場合に次第に上昇し、誘電体層２０５の厚さが約３０ｎｍである時の透過率の２０％の範囲内で維持される。
【００４６】
例えば、前記第１記録層Ｌ０の厚さが３５ｎｍ程度である場合、第１規格ビーム（６５０ｎｍ）に対する第１記録層Ｌ０の反射率は、５０％、透過率は、１２％であり、第２規格ビーム（４１３ｎｍ）に対する第１記録層Ｌ０の透過率は、５０％である。
【００４７】
図６は、本発明の他の実施形態によるハイブリッドディスクで、第３金属層２１１の厚さ変化によって、前記第２記録層Ｌ１で第１及び２規格ビームの反射率を示すグラフである。ここで、前記第２記録層Ｌ１を構成する第２金属層１０７及び第３金属層１１１は、１０ｎｍ厚さのＡｌを利用し、誘電体層１０９は、硫化亜鉛−二酸化硅素化合物（ＺｎＳ−ＳｉＯ２）を利用した。また、前記図５の場合と同様に、第１規格ビームは、６５０ｎｍ波長の赤色ビームを、第２規格ビームは、４１３ｎｍ波長の青色ビームを利用した。
【００４８】
図６を参照するに、第３金属層２１１の厚さが増大するにつれて、前記第１規格ビーム及び第２規格ビームの反射率が上昇し、前記約３０ｎｍ以上の厚さでは、約９０％ほどに飽和される。
【００４９】
第２記録層Ｌ１に該当する第３金属層２１１の記録及び／または判読のためには、ハイブリッドディスクに入射される第２規格ビームの少なくとも１８％以上が前記第２記録層Ｌ１で反射されて光ピックアップによって検出されねばならない。前記第１記録層Ｌ０を構成する誘電体層２０５を３５ｎｍの厚さに形成した場合、約５０％の第２規格ビームが前記第１記録層Ｌ０を通過して前記第２記録層Ｌ１に達する。
【００５０】
前記第１記録層Ｌ０を通過して前記第２記録層Ｌ２で反射されて光ピックアップ装置で検出される第２規格ビームの比率は、（Ｔ１２）２×Ｒ２２×１００（ここで、Ｔ１２は、第１記録層の第２規格ビームに対する透過率、Ｒ２２は、第２記録層の第２規格ビームに対する反射率）である。したがって、第２規格ビームに対するハイブリッドディスクの第２記録層Ｌ１で反射率をＲ２２とすれば、ハイブリッドディスクの第２記録層Ｌ１で反射されて光ピックアップで検出される第２規格ビームの比率は、０．５２×Ｒ２２×１００である。この比率は、少なくとも１８％以上とならねばならない。すなわち、０.５２×Ｒ２２＞０.１８を満足せねばならない。前記条件をＲ２２に対して整理すれば、Ｒ２２＞０.７２とならねばならない。言い換えれば、第２規格ビームによって前記第２記録層Ｌ１の正常的な記録及び／または判読を行うためには、前記第２記録層Ｌ１の反射率は、少なくとも０.７２以上とならねばならない。
【００５１】
一方、フォーカスクロストークを防止するためには、前記第１記録層Ｌ０を通過して前記第２記録層Ｌ１で反射される第１規格ビームが所定大きさ以下に検出されるようにせねばならない。第２記録層Ｌ１で反射されて光ピックアップで検出される第１規格ビームの比率は、（Ｔ１１）２×Ｒ２１×１００（ここで、Ｔ１１は、第１記録層の第１規格ビームに対する透過率、Ｒ２１は、第２記録層の第１規格ビームに対する反射率）である。
【００５２】
図５に示したように、第１記録層Ｌ０を通過した第１規格ビームは、約１２％であるので、第２記録層Ｌ１で反射されて光ピックアップで検出される第１規格ビームの比率は、０.１２２×Ｒ２１である。第２記録層Ｌ１で反射されて光ピックアップで検出される第１規格ビームの比率を５％以下に設定する場合、すなわち、０.１２２×Ｒ２１＜０.０５の条件を満足せねばならない。Ｒ２１が０〜１のうちいかなる値を有しても、前記条件を満足する。図６に示したように、第３金属層２１１、すなわち第２記録層Ｌ１の厚さを約１２ｎｍ以上に形成する場合、第２記録層Ｌ１の第１及び第２規格ビームに対する反射率は、０.７２以上となる。
【００５３】
前記実施形態において、第１記録層Ｌ０及び第２記録層Ｌ１のうち少なくともいずれか１層が２層以上の金属層と誘電体層とを備えるハイブリッドディスクを説明したが、前記記録層を構成する金属層の数や構造は、いくらでも変更が可能である。
【００５４】
図７は、本発明によるハイブリッドディスクを記録／判読するための装置の概略的なブロック図である。図７を参照するに、本発明による記録／判読装置３００は、ディスク３０１にデータの記録または判読が可能な装置であって、記録／判読部３０３及び制御部３０５を備える。
【００５５】
記録／判読部３０３は、制御部３０５の制御によって、本発明によるハイブリッドディスク３０１に／からデータを記録／判読する。制御部３０５は、本発明によってデータを記録するように記録／判読部３０３を制御するか、または記録／判読部３０３によって判読されたデータを処理して有効なデータを得る。
【００５６】
記録／判読部３０３は、データの記録及び判読のために光ピックアップを備える。ディスク３０１は、ピックアップに装着されている。ピックアップは、ディスク３０１にレーザービームを照射し、ディスク３０１から反射されたレーザビームを受光して得られた光信号を制御部３０５に出力する。ハイブリッドディスク３０１の例としては、前述したハイブリッドディスク１００，２００が備えられる。
【００５７】
特に、記録／判読部３０３は、ディスク３０１を構成する第１記録層には、第１規格の波長の光を利用してデータを記録／判読し、ディスク３０１を構成する第２記録層には、第２規格の波長の光を利用してデータを記録／判読する。また、前述したように、記録／判読部３０３は、第１規格ビームに対する第２記録層の反射率を考慮して第１規格ビームを制御することにより、第２記録層で反射された第１規格ビームを所定レベル以下にする。
【００５８】
本発明による記録／判読装置が、異なる規格のディスクが結合されたハイブリッドディスクにデータを記録／判読するための記録／判読部３０３の具体的な構成を説明する。図８は、図７に示された記録／判読部の一例を示す。記録／判読部３０３は、１つ以上で構成された対物レンズユニットによって、互いに記録密度及びフォーマットが異なるディスク３０１の各記録層を互換採用できるように、各記録層にそれぞれ適した波長の光を出射してディスク３０１に対向させ、ディスク３０１で反射されて戻った光を受光して情報信号及び／または誤差信号を検出するように設けられる。
【００５９】
図８を参照するに、記録／判読部３０３は、入射される光を集束させてディスク３０１の記録面上に光スポットとして結ぶ対物レンズ４０５；、異なる波長の光をそれぞれ出射する第１光源４０１；第２光源４０３；第１光源４０１、第２光源４０３から出射された光路をそれぞれ変換するための第１光路変換器４０７；第２光路変換器４０９；ディスク３０１の記録面で反射された光を受光して情報信号及び／または誤差信号を検出するための光検出器４１１を備えて構成される。
【００６０】
例えば、第１光源４０１は、第１規格としてＤＶＤ規格が選択された場合、第１記録層の記録再生のための６５０ｎｍ波長の光を出射するＤＶＤ用光源として利用し、第２光源４０３は、第２規格としてＨＤ−ＤＶＤ規格が選択された場合、４１３ｎｍ波長の光を出射するＨＤ−ＤＶＤ用光源として利用される。
【００６１】
以上、本発明についてその望ましい実施形態を中心に説明した。当業者は、本発明が本発明の本質的な特性から逸脱しない範囲で変形された形態で具現できるということが分かるであろう。したがって、開示された実施形態は、限定的な観点でなく、説明的な観点で考慮されねばならない。本発明の範囲は、前述した説明でなく、特許請求の範囲に現れており、それと同等な範囲内にある全ての差異点は、本発明に含まれていると解釈されねばならない。
【図面の簡単な説明】
【００６２】
【図１】本発明の一実施形態によるハイブリッドディスクの構造を示す図である。
【図２】本発明の一実施形態によるハイブリッドディスクで、第１金属層の厚さ変化による第１記録層における第１規格ビームの反射率及び透過率、第２規格ビームの透過率を示すグラフである。
【図３】本発明の一実施形態によるハイブリッドディスクで、誘電体層の厚さ変化による第２記録層での第１及び２規格ビームの反射率を示すグラフである。
【図４】本発明の他の実施形態によるハイブリッドディスクの構造を示す図である。
【図５】本発明の他の実施形態によるハイブリッドディスクで、誘電体層の厚さ変化による第１記録層における第１規格ビームの反射率及び透過率、第２規格ビームの透過率を示すグラフである。
【図６】本発明の他の実施形態によるハイブリッドディスクで、第３金属層の厚さ変化による第２記録層での第１及び２規格ビームの反射率を示すグラフである。
【図７】本発明によるハイブリッドディスクにからデータを記録／判読するための装置の概略的なブロック図である。
【図８】図７に示された記録／判読部の一例を示す図である。
【図１】
2008535136.tif 000004
【図２】
2008535136.tif 000005
【図３】
2008535136.tif 000006
【図４】
2008535136.tif 000007
【図５】
2008535136.tif 000008
【図６】
2008535136.tif 000009
【図７】
2008535136.tif 000010
【図８】
2008535136.tif 000011
【国際調査報告】
2008535136.tif 000012
2008535136.tif 000013